(57)【特許請求の範囲】
【請求項１】
レーザードライバ回路であって、
レーザーダイオードをオン電流で駆動するために必要な電流量と等しい電流量を生成するための第１及び第２の電流ジェネレータと、
第１及び第２の部分からなる電流ミラーであって、第２の電流ジェネレータは電流ミラーの第２の部分と電気的に接続される、電流ミラーと、
第１の電流ジェネレータと電流ミラーの第１の部分との電気的な接続を開閉するためのスイッチと、
スイッチが閉じているレーザーダイオードのオフモードの場合に第１の電流ジェネレータからバイアス電流を導通するための制御手段と、
第２の電流ジェネレータと直列に電気的に接続され、電流ミラーの第２の部分と並列に電気的に接続される、レーザーダイオードと、
を有し、
スイッチが閉じているレーザーダイオードのオフモードの場合、第１の電流ジェネレータからの電流が電流ミラーの第１の部分に流れ、電流ミラーの第２の部分は、第１の電流ジェネレータから電流ミラーの第１の部分に流れる電流量と等しい、第２の電流ジェネレータからの電流をグランドに流し、グランドに流れた以外の第２の電流ジェネレータからの電流はレーザーダイオードに流れ、
スイッチが閉じていないレーザーダイオードのオンモードの場合、第１の電流ジェネレータからの電流は電流ミラーの第１の部分に流れず、第２の電流ジェネレータからの電流も電流ミラーの第２の部分に流れず、第２の電流ジェネレータからの電流はレーザーダイオードに流れる、
レーザードライバ回路。
【請求項２】
制御手段は１つのトランジスタから成り、第１及び第２の電流ジェネレータの各々は１つのトランジスタから成り、電流ミラーの第１及び第２の部分の各々は１つのトランジスタから成り、
スイッチは、１度に２つのトランジスタの内の１つのみが導通となるように配置された、２つのトランジスタから成る、
請求項１に記載のレーザードライバ回路。
【請求項３】
第１及び第２の電流ジェネレータは、生成する電流の量の調整が可能であり、
制御手段は、スイッチが閉じているレーザーダイオードのオフモードの場合に第１の電流ジェネレータからのバイアス電流の量を調整可能である、
請求項１又は２に記載のレーザードライバ回路。
【請求項４】
スイッチが閉じているレーザーダイオードのオフモードの場合に、第２の電流ジェネレータからレーザーダイオードに流れる電流の量は、スイッチが閉じているレーザーダイオードのオフモードの場合に第１の電流ジェネレータから制御手段に流れるバイアス電流の量に等しい、
請求項１―３の何れか１項に記載のレーザードライバ回路。
【発明の詳細な説明】
【０００１】
本発明はレーザードライバ回路に関する。
【０００２】
レーザーダイオードドライバ回路は、２つの電流ドライバ、切換回路、ミラー回路、及びレーザーダイオードに対して調節可能にオン及びオフバイアス電流を設定する１つトランジスタからなる。
【０００３】
レーザーダイオードドライバは、ダイオードがオフである場合は低電流バイアスでダイオードを駆動し、オンである場合は高電流レベルでダイオードを駆動するように調整可能でなければならない。低電圧電力供給によって駆動される場合、十分な電流を処理することが可能でなければならなく、ほとんど構成要素を有さない。周辺回路と共に動作可能な増幅器が場合によっては使用されるが、しかし、１つのアンプに２つの調節可能な電流レベルを出力させることは困難である。従って、改良型の回路が必要である。
【０００４】
本発明において、回路は、ダイオードのオン電流に調整可能な等しい電流を生成する２つの電流ドライバを含む。オンモードにおいて、一方のドライバからの電流の全ては、制御トランジスタによってダイオードへ流れる。バイアス（オフ）モードにおいて、同じ制御トランジスタからの僅かな量の調整可能な電流が使用されダイオードへ流れる電流の量を決定する。従って、一方の場合に制御トランジスタを完全にオフにし、他方の場合にトランジスタをバイアス電流に調整可能とすることにより、単一の制御トランジスタを２つの電流レベルを制御するために使うことができる。
【０００５】
【発明の実施の形態】
以下、図面を参照して本発明のレーザードライバ回路について詳細に説明する。
【０００６】
図１は、ダイオード入力電流に対するダイオード生成光強度の典型的なプロットを示しているグラフである。典型的なディジタルシステムにおいて、ダイオードはある小さなバイアス入力電流で実質的に光を生成しない（光ゼロ）か全強度の光を生成するかの何れかである。そして、各入力電流レベルは独立して調節可能でなければならない。
【０００７】
図２は、回路の機能図である。２つの電流ジェネレータ１０、１１の各々は、レーザーダイオード１２を駆動させるための適当な量のオン電流の生成が調節可能である。
【０００８】
レーザーオフ又はバイアスモードにおいて、スイッチ１３は右に向けられ、ジェネレータ１０の全ての電流が電流ミラーの左半分へ向けられる。ミラートランジスタ１４、１５は電流ミラーの２つの部分であり、如何なる電流であっても、左半分１４は右半分１５と同じ電流量を保証する。従って、調整可能な制御トランジスタ１６にオフ、バイアスモードのダイオードに流れるべき電流と全く同じ量の電流が導通することを除くと、電流ミラーの右半分はジェネレータ１１の全ての電流をグランドに通す。この電流量は左半分１４より減じられるので、右半分１５はドライバ１１の全ての出力電流より僅かに少ない電流を導通し、残りはバイアス電流としてダイオード１２に流れる。
【０００９】
オンモードにおいて、スイッチ１３は左に向けられ、ミラーの左半分へ電流が流れることは可能ではなくなり、従って、ミラーの右半分も同様となる。そして、ジェネレータ１１からの全ての電流はダイオード１２へ流れる。
【００１０】
このように、電流ジェネレータ１０、１１においてオン電圧が調整され、制御トランジスタ１６においてバイアス電流が調整されることがわかる。
【００１１】
図３は本発明の好適な実施例の概略回路図である。トランジスタ１７及び１９は、一般に周知のバイアス回路によってバイアスされ、ノードＳｐ１及びＳｐ２に等しい電流を供給する。トランジスタ２１及び２２は、Ｓｐ１を通った電流を負荷３１及び３２間で切り換えるソースペアである。トランジスタ３１が常にオンであるように、回路が動作モードであることを示すために、ビデオ入力が常にハイレベル（５ボルト）であると仮定する。
【００１２】
ユーザーが調整可能なオン電流モードにおいて、入力、ストローブ（Ｓｔｒｏｂｅ）がローレベル（０ボルト）の場合、トランジスタ２１はオンであり、Ｓｐ１を通った電流は完全にトランジスタ２１を流れる。同時に、トランジスタ２２は遮断され電流はＯｎ／Ｏｆｆ（オン／オフ）ノードを通ることができない。これより、電流ミラートランジスタ３２、３３の状態を決定する特定の電圧は残らない（かからない）。すなわち、オンもでもオフでもない。ここで、Ｏｎ／Ｏｆｆノードは制御トランジスタ４２によってゼロとなる。トランジスタ３２、３３は電流を通さず、ユーザが調整可能な電流ジェネレータ１９からの全ての電流はダイオードＤｏｕｔ（出力）に提供される。
【００１３】
バイアスモードにおいて、入力、ストローブがハイレベル（５ボルト）の場合、トランジスタ２１はオフであり、Ｓｐ１を通った電流は完全にトランジスタ２２及びＯｎ／Ｏｆｆノードへ流れる。しかしながら、いくらかの電流は制御トランジスタ４２へ失われ、一方、残りの電流はトランジスタ３２からトランジスタ３３へうつされる。Ｓｐ２を通った電流とトランジスタ３３にうつされた電流との差は、制御トランジスタ４２に流れた少ない量であるため、この少ない量がレーザダイオードを駆動する電流である。この少ない電流は、図１のバイアス設定を決定するためにトランジスタ４２のバイアス入力により設定される。
【００１４】
従って、トランジスタ４２は２つの機能を有する。１つは、オン状態において電流ミラー３２、３３を閉じることであり、もう１つは、バイアス状態における電流量を設定することである。
【図面の簡単な説明】
【図１】入力電流とレーザダイオード光強度の関係を示す図である。
【図２】好適な実施形態の回路図である。
【図３】好適な実施形態の概略図である。
【符号の説明】
１０  電流ジェネレータ
１１  電流ジェネレータ
１２  レーザダイオード
３２  ミラートランジスタ
３３  ミラートランジスタ
４２  制御トランジスタ
【図１】
0004965038.tif 000002
【図２】
0004965038.tif 000003
【図３】
0004965038.tif 000004